(57)【要約】      （修正有）【課題】簡単に組み立てられ、かつ、旅行や出張等での携帯が容易なスマートフォンやタブレット端末等である被支持部材のスタンドを提供する。【解決手段】スタンド７は、板部材から成る本体部を備える。本体部は、本体部を上下方向に、左板１２、中央板１４、右板１６と三分割したときに、中央板を下方に向けて凹形状となるように切断して形成された載置部と、中央板の左側に連設する左板又は中央板の右側に連設する右板に設けられた接合部と、中央板の右側に連設する右板又は中央板の左側に連設する左板に設けられた被接合部とを備える。接合部には、接合部材が設けられ、被接合部には、被接合部材が設けられる。本体部は、接合部材と被接合部材とを接合させて、中央板を左板及び右板より前後方向に突出させることで、載置部の下辺に被支持部材が載置可能となることを特徴とする。【選択図】図２
0003217422.tif 000002
【実用新案登録請求の範囲】
【請求項１】
板部材から成る本体部を備え、
前記本体部は、前記本体部を上下方向に、左板、中央板、右板と三分割したときに、前記中央板を下方に向けて凹形状となるように切断して形成された載置部と、前記中央板の左側に連設する前記左板又は前記中央板の右側に連設する前記右板に設けられた接合部と、前記中央板の右側に連設する前記右板又は前記中央板の左側に連設する前記左板に設けられた被接合部とを備えており、
前記接合部には、接合部材が設けられ、
前記被接合部には、被接合部材が設けられ、
前記本体部は、前記接合部材と前記被接合部材とを接合させて、前記中央板を前記左板及び前記右板より前後方向に突出させることで、前記載置部の下辺に被支持部材が載置可能となることを特徴とするスタンド。
【請求項２】
請求項１に記載のスタンドであって、
前記接合部材は、前記接合部に複数設けられており、
前記被接合部材は、前記被接合部に複数設けられている、スタンド。
【請求項３】
請求項１または請求項２に記載のスタンドであって、
前記接合部材および前記被接合部材は、スナップボタン、面ファスナー、またはマグネットのいずれかで構成されている、スタンド。
【考案の詳細な説明】
【技術分野】
【０００１】
本考案は、スマートフォンやタブレット端末等を支持するためのスタンドに関する。
【背景技術】
【０００２】
従来のスマートフォンやタブレット端末等を支持するためのスタンドは、ネジや接着剤を用いなければ組み立てることができなかったため、使用時に容易に組み立てることが困難であった。また、従来のスタンドは、ネジ止めや接着剤による固定がなされたり、アルミニウム等の金属で形成されていたりしたため、その大きさを小さくできないものが多い。そのため、従来のスタンドは、大きさの点で収納時に嵩張りやすく、旅行や出張等で携帯することは困難だった。また、従来のスタンドには、木製やプラスチック製のスタンドがあり、スタンドに使用される木材がある程度の重量を有するため、旅行や出張等で携帯することは困難だった。
このような従来のスタンドとして、厚紙等から形成されたスタンドに関する技術が以下の特許文献１に開示されている。
【０００３】
特許文献１には、板紙から形成された本体を、予め設けられた所定の縦折り線に沿って折り曲げ、この折り曲げた箇所の一部を本体の内側に接着剤で接着して組み立てを行う携帯端末用スタンドに関する技術が開示されている。
【先行技術文献】
【特許文献】
【０００４】
【特許文献１】特開２０１３−２４００２０号公報
【考案の概要】
【考案が解決しようとする課題】
【０００５】
すなわち、特許文献１の技術は、接着剤を用いなければ組み立てられないため、接着剤が付属していない場合には、まず接着剤を用意しなければならない。また、特許文献１の技術は、接着剤が付属していても、スタンドに付着した接着剤が乾燥するまでスマートフォン等を載置することができず、組み立てて使用するまでに時間がかかってしまう。そのため、特許文献１の技術は、使用時にスタンドを容易に組み立てることが困難である。
【０００６】
さらに、特許文献１の技術は、接着剤を用いて組み立てていることから、容易に元の平面形状に戻すことができない。そのため、特許文献１の技術は、スタンドを組み立てた後においては、立体形状になっているので収納時に嵩張りやすく、旅行や出張等で携帯することは困難である。
【０００７】
そこで、本考案は、簡単に組み立てられ、かつ、旅行や出張等での携帯が容易なスマートフォンやタブレット端末等である被支持部材のスタンドを提供することを課題とする。
【課題を解決するための手段】
【０００８】
上記課題を解決するために、本考案は、以下のような構成を備える。
【０００９】
（第１の考案）
本考案のうち第１の考案に係るスタンドは、板部材から成る本体部を備える。本体部は、本体部を上下方向に、左板、中央板、右板と三分割したときに、中央板を下方に向けて凹形状となるように切断して形成された載置部と、中央板の左側に連設する左板又は中央板の右側に連設する右板に設けられた接合部と、中央板の右側に連設する右板又は中央板の左側に連設する左板に設けられた被接合部とを備える。接合部には、接合部材が設けられ、被接合部には、被接合部材が設けられる。本体部は、接合部材と被接合部材とを接合させて、中央板を左板及び右板より前後方向に突出させることで、載置部の下辺に被支持部材が載置可能となることを特徴とする。
【００１０】
（第２の考案）
本考案のうち第２の考案は、前記した第１の考案の特徴に加え、接合部材は接合部に複数設けられており、接合部材は被接合部に複数設けられている。
【００１１】
（第３の考案）
本考案のうち第２の考案は、前記した第１または第２の考案の特徴に加え、接合部材および被接合部材は、スナップボタン、面ファスナー、またはマグネットで構成されている。
【００１２】
本考案は、本体部を構成する左板に設けられた接合部材と、右板に設けられた被接合部材とを接合させるだけで簡単に組み立てることができる。また、本考案は、組み立て前の形状を１枚の板部材とすることができるため、組み立て前の形状にすれば、旅行や出張等の際に鞄に収容することで容易に携帯できる。
【図面の簡単な説明】
【００１３】
【図１】第１の実施の形態のスタンドの展開図である。
【図２】第１の実施の形態のスタンドを組み立て、被支持部材を載置した際の斜視図である。
【図３】第２の実施の形態の図２相当図である。
【考案を実施するための形態】
【００１４】
（第１の実施の形態）
本明細書では、各説明箇所において、方向の定義が示されていない場合には、図１に示すスタンド７を形成するための板部材の左側を「左」方向とし、その逆方向を「右」方向とし、スタンド７を形成するための板部材の上側を「上」方向とし、その逆方向を「下」方向とする。また、前記「上」や「下」の上下方向は、図２に示すようなスタンド７の上側が「上」方向であり、その逆方向が「下」方向となる。また、「前」や「後ろ」の前後方向は、図２に示すようなスタンド７に、被支持部材１が載置される側を「前」方向とし、その逆方向を「後ろ」方向とする。さらに、図１に示す紙面手前側の面を「表」面とし、紙面奥側の面を「裏」面とする。
【００１５】
（被支持部材１）
まず、被支持部材１について説明する（図２参照）。ここで説明する被支持部材１は、画面２を見ている状態で説明する。図２に示す被支持部材１は、スマートフォンである。図２に示す例では、被支持部材１は、両サイドの縦方向の面を各々側面部６とし、側面部６，６を上下方向とするようにスタンド７に支持されている。被支持部材１は、底面を底面部５とし、上面を上面部４とし、かつ裏面を背面部３とする。このとき、被支持部材１は、側面部６及び底面部５の厚みｔが同一であり、好ましくは、１３ｍｍよりも小さい。
【００１６】
（本体部１０）
図１を参照して、第１の実施の形態に係るスタンド７は、板部材から成る本体部１０を備えている。この本体部１０は、本体部１０を上下方向に、左板１２、中央板１４、右板１６と三分割したときに、中央板１４を下方に向けて凹形状となるように切断して形成された載置部２０を備えている。また、本体部１０は、中央板１４の左側に連設する左板１２に接合部３０が設けられ、中央板１４の右側に連設する右板１６に被接合部４０が設けられている。すなわち、本体部１０は、載置部２０が下方に向けて凹んでいることから、全体として上向きの略凹形状を呈している。なお、接合部３０と被接合部４０との位置関係は、上記のものに限らず、接合部３０を右板１６に設け、被接合部４０を左板１２に設けてもよい。
【００１７】
本体部１０は、上述のように、左板１２、中央板１４、右板１６との３つの板部材から成り、その厚さが１ｍｍに形成されている。また、本体部１０は、組み立て前の平面形状において、その上下方向の最大の高さが７６ｍｍ、その左右方向の最大の幅が２８０ｍｍである。なお、本体部１０の上下方向の最大の高さ及び左右方向の最大の幅は、上記の数値に限られない。
【００１８】
また、本体部１０は、防水性に優れ、適度の柔軟性と剛性とを備えた素材で形成される。具体的には、たとえば、皮革、ＰＶＣ（ポリ塩化ビニル樹脂）または、帆布などを用いることができる。なお、本体部１０の材質は、これらの例に限らず、厚紙やウレタンフォーム、フェルト、合成皮革、軟質プラスチック、シリコン、硬質ゴム等を用いて形成してもよい。
【００１９】
ここで、本体部１０の下辺は、中央板の下辺１５の両端付近から、左板の下辺１３と右板の下辺１７はそれぞれ上方へ傾斜している。すなわち、本体部１０の下辺は、中央板の下辺１５が最下端となり、この部分から左板の下辺１３の左端と右板の下辺１７の右端とに向かって、徐々に上方へ傾斜するように形成されている。具体的には、中央板の下辺１５と左板の下辺１３とがなす角、及び、中央板の下辺１５と右板の下辺１７とがなす角（以下、「θ１」とする）は、３度で形成されている。なお、θ１は、３度に限らず、１度以上６度以下の範囲で形成してもよいし、０度であってもよい。
【００２０】
（載置部２０）
図１に示すように、載置部２０は、中央板１４を下方に向けて凹形状となるように切断して形成され、本体部１０を組み立てた際に、被支持部材１が載置される部分である。この載置部２０は、載置部２０の下辺であって、被支持部材１が載置される下辺部２６と、載置部２０の側辺であって、下辺部２６の両端から上方に連設していて被支持部材１の背面部３を支持可能な側辺部２８とを備えている。
【００２１】
（接合部３０）
図１に示すように、接合部３０は、中央板１４の左側に連設する左板１２に設けられている。この接合部３０は、本体部１０の組み立てに際し、被接合部４０と後述の接合部材を用いて接合させることで本体部１０を立体形状とするのに用いられる。接合部３０は、上下方向における中央部であって、左右方向における左端側に接合部材としての凸ボタン３２を有している。凸ボタン３２は、１対のホックタイプのスナップボタンの一方であり、接合部３０を貫通するように取り付けられており、裏面側に凸部が突出するように構成されている。
【００２２】
（被接合部４０）
図１に示すように、被接合部４０は、中央板１４の右側に連設する右板１６に設けられたものである。この被接合部４０は、本体部１０の組み立てに際し、接合部３０と接合させることで本体部１０を立体形状とするのに用いられる。被接合部４０は、上下方向における中央部であって、左右方向における右端側に被接合部材としての凹ボタン４２を有している。凹ボタン４２は、凸ボタン３２と対をなすホックタイプのスナップボタンの一方であり、接合部３０を貫通するように取り付けられており、裏面側に凹部が突出するように構成されている。すなわち、本実施形態では、接合部材（凸ボタン３２）と被接合部材（凹ボタン４２）とは、互いに係合する一対のスナップボタンで構成されている。
【００２３】
（スタンド７の組み立て方法）
以下、図２を用いて、第１の実施の形態に係るスタンド７の組み立て方法について説明する。
（１）本体部１０を曲げ、左板１２に設けられた凸ボタン３２と、右板１６に設けられた凹ボタン４２とを裏面側で対向させる。
（２）対向した凸ボタン３２と凹ボタン４２とを互いに押圧させることにより、接合部材（凸ボタン３２）を被接合部材（凹ボタン４２）に取り付ける。
【００２４】
（スタンド７の組み立て後の形状）
以下、第１の実施の形態に係るスタンド７の組み立て後の形状について説明する。このスタンド７は、上記の工程のように、接合部材と被接合部材とを互いに押圧させることにより、図１に示す平面形状から図２に示す立体形状へ組み立てることができる。そして、組み立てたスタンド７をスタンド７の載置面に設置すると、スタンド７は、中央板１４の部分よりも左板１２と右板１６とが嵌合した部分の方が重くなることと、θ１（図１参照）が形成されたことにより、左板１２及び右板の下辺１７がスタンド７の載置面に接することとなる。そのため、中央板１４は、スタンド７の載置面から少し浮いた状態となり、結果としてスタンド７全体がやや後方に傾いた状態となる。
【００２５】
また、スタンド７の組み立て後は、中央板１４が左板１２及び右板１６より前方に突出した状態となり、中央板１４が備える載置部２０の載置溝２２に被支持部材１が載置可能となる。この載置溝２２は、載置部２０の下辺部２６の両端付近にさらに下方へ凹となるように形成された２箇所の溝である。
【００２６】
換言すると、「載置溝２２」とは、その左右方向の幅が被支持部材１の厚みｔ（図２参照）よりもやや大きめに形成された溝である。具体的には、載置溝２２の左右方向の幅は、１３ｍｍで形成されている。なお、載置溝２２の左右方向の幅は、前記の数値に限らず、種類の異なる被支持部材１に対応した他の数値でもよい。
【００２７】
一方、載置溝２２の上下方向の高さは、被支持部材１がもたれかかった際に、被支持部材１が落下しない高さで形成されている。具体的には、第１の実施の形態では１０ｍｍで形成されている。なお、載置溝２２の上下方向の高さは、上記の数値に限らず、種類の異なる被支持部材１に対応した他の数値でもよい。
【００２８】
また、下辺部２６の幅は、被支持部材１の縦置き及び横置きの双方に対応可能とすべく、被支持部材１の短辺よりもやや短めに形成されている。具体的には、下辺部２６の幅は７２ｍｍで形成されている。なお、下辺部２６の幅は、上記の数値に限らず、たとえば、被支持部材１の長辺よりもやや短めに形成して、横置き専用のスタンド７としてもよい。一方、側辺部２８の高さは、被支持部材１がもたれかかった際に、被支持部材１を支持可能な高さで形成されている。
【００２９】
具体的には、側辺部２８の高さは６０ｍｍで形成されている。なお、側辺部２８の高さは、上記の数値に限らず、種類の異なる被支持部材１に対応した他の数値でもよい。また、側辺部２８と側辺部２８の上端から下方への垂直線とがなす角（以下、「θ２」とする）は、５度で形成されている。なお、θ２は、５度に限らず、１度以上１０度以下の範囲で形成してもよいし、０度であってもよい。
【００３０】
（被支持部材１）
上述のように、図２に示す被支持部材１は、スマートフォンである。この被支持部材１は、長辺を有する面を側面部６とし、短辺を有する面のうち下方に位置する面を底面部５とし、載置部２０の側辺部２８と接する面を背面部３とする。このとき、被支持部材１は、側面部６及び底面部５の厚みｔが載置溝２２の左右方向の幅である１３ｍｍよりも小さい。なお、スマートフォン自体の幅は、概ね７ｍｍから１０ｍｍの間であるが、スマートフォンにカバーを装着した場合を考慮して、第１の実施の形態では被支持部材１の幅を最大１３ｍｍとしている。
【００３１】
なお、被支持部材１は、長辺を有する面を底面部５とし、短辺を有する面を側面部６としてもよく、また、載置部２０の側辺部２８と接しない面を背面部３としてもよい。さらに、被支持部材１は、スマートフォンに限らず、タブレット端末であってもよいし、電子端末ではなく、写真や絵葉書であっても又はケースに収容された清涼菓子等であってもよい。この場合は、採用される被支持部材に応じて、下辺部２６の左右方向の幅及び載置溝２２の左右方向の幅を調整して使用する。
【００３２】
（被支持部材１の載置方法）
以下、図２を用いて、被支持部材１の載置方法について説明する。被支持部材１は、上記の行程により、本体部１０が立体形状となったことにより、中央板１４が左板１２及び右板１６よりも前方に突出した状態となる。具体的には、被支持部材１を縦置きする場合、底面部５の厚みｔが載置溝２２の奥行きよりも短いため、底面部５を左右２箇所の載置溝２２にはめて載置することができる。なお、図２に示すように、被支持部材１を縦置きでなく横置きとした場合でも、側面部６の厚みｔが載置溝２２の奥行きよりも短いため、側面部６を左右２箇所の載置溝２２にはめて載置することができる。
【００３３】
また、被支持部材１は、底面部５が左右２箇所の載置溝２２に載置されたとき、θ２（図１参照）により後方に傾いて、被支持部材１の背面部３が側辺部２８と当接する。そして、背面部３が側辺部２８と当接し、底面部５は載置溝２２の側辺部２８と下辺部２６との間に挟まれて、被支持部材１がスタンド７に支持される。
【００３４】
（スタンド７の分解方法）
以下、スタンド７の分解方法について説明する。図２において、係合している接合部材（凸ボタン３２）と被接合部材（凹ボタン４２）とを、互いに離れる方向に引っ張ることにより、用意に接合を解除することができる。その後、左板１２と右板１６とを引き離し、スタンド７を平面形状に展開することができる。
【００３５】
（第１の実施の形態の作用効果）
このスタンド７は、接合部材（凸ボタン３２）と被接合部材（凹ボタン４２）とを押圧させることで組み立てることができるため、接着剤などを用意することなく、用意に組み立てる事が可能である。さらに、このスタンド７は、組み立て前は平面形状にすることができ、また、組み立て後であっても簡単に１枚の板に分解できるため、旅行や出張等での携帯を容易に行うことができる。すなわち、このスタンド７を構成する本体部１０の厚みは１ｍｍであり、厚紙１枚程度であるため、平面形状であれば、ノートやファイル等に挟んだりして、容易に鞄に収納できる。
【００３６】
また、このスタンド７は、スナップボタンで構成される接合部材（凸ボタン３２）と被接合部材（凹ボタン４２）とを係合させることで組み立てを行っている。そのため、組み立て後のスタンド７は、中央板１４の部分よりも左板１２と右板１６とが嵌合した部分の方が重くなることと、θ１（図１参照）が形成されたことにより、左板１２及び右板の下辺１７がスタンド７の載置面に接することとなる。
【００３７】
すなわち、組み立て後のスタンド７をスタンド７の載置面上に設置すると、中央板１４がスタンド７の載置面から少し浮いた状態となり、結果としてスタンド７全体がやや後方に傾いた状態となる。その結果、スタンド７は、載置部２０が備える側辺部２８も後方に傾いた状態となるため、θ２（図１参照）よりも大きな角度で被支持部材１を奥方向に傾斜した状態で載置することができる。
【００３８】
また、このスタンド７は、載置溝２２に被支持部材１の底面部５をはめて載置することで、単に下辺部２６に被支持部材１を載置した構成に比べて、振動があったとしても載置溝２２から外れることがなく、被支持部材１を安定して支持できる。さらに、このスタンド７は、載置溝２２に被支持部材１をはめて載置すると、スタンド７から被支持部材１が落下しないため、被支持部材１をスマートフォンとした場合にはスタンド７に載置した状態で画面２に触れて操作を行うことができる。また、このスタンド７は、前記のように被支持部材１をスマートフォンとした場合には、マナーモード等のスマートフォンが振動する状態でも使用できる。
【００３９】
また、このスタンド７は、厚紙等の紙製でなくＰＶＣまたは皮革で形成されているため、紙製のものと異なり防水性が高いので、洗面所や風呂場等の水回りでも使用することができる。さらに、このスタンド７は、柔軟性を備えるＰＶＣまたは皮革で形成されていることにより、本体部１０を分解して再度組み立て直しても、折り目等が付き、その箇所が消耗して最終的に破損してしまうことを少なくできる。
【００４０】
また、第１の実施の形態によれば、スタンド７を２つ用いることで、幅の広いタブレット端末を横置きで支持することができる。一例として、このスタンド７は、本体部１０が組み立て前の平面形状において、その上下方向の最大の高さが７６ｍｍ、その左右方向の最大の幅が２８０ｍｍで形成されている。  
【００４１】
（第２の実施の形態）
以下、図３を参照して、第２の実施の形態を説明する。また、第２の実施の形態において、第１の実施の形態と同一の構成要素には、第１の実施の形態において用いた符号と同一の符号を用いている。そして、第１の実施の形態と重複する部分は説明を省略して説明する。
【００４２】
図３に示すように、第２の実施の形態に係るスタンド７は、左板１２および右板１６に、複数の接合部材（凸ボタン３２）および被接合部材（凹ボタン４２）が設けられている。ここで、図３に示す例では、接合部材および被接合部材は、それぞれ２つずつ設けられているが、それぞれ３つ以上ずつ設けてもよい。
【００４３】
（第２の実施の形態の作用効果）
第２の実施の形態に係るスタンド７は、第１の実施の形態に係るスタンド７の作用効果に加えて、以下の作用効果を有する。このスタンド７は、複数設けられた接合部材および被接合部材を係合させることにより組み立てられているため、第１の実施の形態に係るスタンド７と比較して、より強固に組み立てる事が可能となる。
【００４４】
（他の実施の形態）
なお、本開示における技術的思想の適用範囲は、上記実施形態に限定されない。たとえば、上記実施形態においては、接合部材を凸ボタン３２とし、被接合部材を凹ボタン４２としたが、逆に、接合部材を凹ボタンとして、被接合部材を凸ボタンとしてもよい。
【００４５】
また、上記実施形態では、スナップボタンの一例としてホックタイプを用いたが、他の例として、縫い付けタイプ、カシメタイプ、プラスチックタイプ、ドットタイプなどのスナップボタンを用いてもよい。または、接合部材および被接合部材として、スナップボタンではなく、面ファスナーを用いてもよい。この場合、接合部３０の裏面に面ファスナーのフック面を接合部材として設け、被接合部４０の裏面に面ファスナーのループ面を被接合部材として設けることとなる。または、接合部材および被接合部材として、マグネットを用いても良い。この場合には、たとえば、接合部材の裏面にＳ極のマグネット、被接合部材の裏面にＮ極のマグネットをそれぞれ取り付ける。
【００４６】
また、上記実施形態では、接合部３０の裏面と被接合部４０との裏面同士とを接合させているが、この例に限定されることはない。たとえば、接合部３０の裏面と被接合部４０との表面とを接合させてもよく、または、接合部３０の表面と被接合部４０との裏面とを接合させてもよい。これらの場合においても、上記実施形態と同様の効果を得ることができる。
【産業上の利用可能性】
【００４７】
本考案は多様な被支持部材を支持可能なスタンドに関し、スマートフォン、タブレット端末、写真、絵葉書又はケースに収容された清涼菓子等を支持可能なものである。また、本考案は、中央板のうち載置部の下方の外面や、左板あるいは右板の外面にロゴを付すことにより、携帯電話ショップ、映画館、旅行代理店、家電量販店又はスポーツチーム等の広告媒体として用いることができる。
【符号の説明】
【００４８】
１    ：被支持部材
２    ：画面
３    ：背面部
４    ：上面部
５    ：底面部
６    ：側面部
７    ：スタンド
１０  ：本体部
１２  ：左板
１３  ：下辺
１４  ：中央板
１５  ：下辺
１６  ：右板
１７  ：下辺
２０  ：載置部
２２  ：載置溝
２６  ：下辺部
２８  ：側辺部
３０  ：接合部
３２  ：凸ボタン
４０  ：被接合部
４２  ：凹ボタン
【図１】
0003217422.tif 000003
【図２】
0003217422.tif 000004
【図３】
0003217422.tif 000005